(57)【特許請求の範囲】
【請求項１】
机等の天板の後方に部材取付板を、天板から離間させて設置し、これら部材取付板と天板との間に形成される隙間に上方からの差し込み操作を通じカバー支持部材を装着して、このカバー支持部材に支持させたカバーによって前記隙間を上方から覆うように構成したことを特徴とする天板付き家具。
【請求項２】
カバー支持部材は、抜脱可能な状態で装着され、上方への引き上げ操作を通じて部材取付板と天板との隙間から取り出し得るようにしている請求項１記載の天板付き家具。
【請求項３】
部材取付板に被係り合い部を設ける一方、カバー支持部材の一部に前記被係り合い部に係り合う係り合い部及びこの係り合い部以外の部位に弾性変形部を設け、挿入時に弾性変形部を弾性変形させ装着位置でその反発力により係り合い部を被係り合い部に向かって押し付けるようにしている請求項１又は２記載の天板付き家具。
【請求項４】
係り合い部と被係り合い部の間には、係り合い位置でカバー支持部材の上下動を規制する規制部が設けてある請求項３記載の天板付き家具。
【請求項５】
被係り合い部が部材取付板に幅方向に連続して設けられ、係り合い部を被係り合い部の幅方向に沿った所望の位置に係り合わせ得るようにしている請求項３又は４記載の天板付き家具。
【請求項６】
弾性変形部は、挿入時に部材取付板と天板との間で圧縮され、反発力を係り合い部と被係り合い部とが係り合う方向に作用させるように構成される請求項３〜５記載の天板付き家具。
【請求項７】
弾性変形部は、部材取付板と天板との間に介在される板バネであり、板バネを抜き取ることによって圧縮状態を解除し得るようにしている請求項６記載の天板付き家具。
【請求項８】
カバー支持部材は、部材取付板の一部に接触した位置を支点に回転して係り合い部を被係り合い部に係り合い可能とされる請求項３〜７記載の天板付き家具。
【請求項９】
カバー支持部材は、カバーを付帯させた状態のままで前記部材取付板と前記天板との隙間に着脱可能とされる請求項１〜８記載の天板付き家具。
【請求項１０】
カバー支持部材は、装着位置で上下方向に延びる一又は複数の板状ないし棒状をなす脚部と、当該脚部の上端部に一体的に設けられて幅方向に沿って延びる架材とを具備し、この架材にカバーが支持されている請求項１〜９記載の天板付き家具。
【請求項１１】
架材が脚部の側方にオーバーハングしている請求項１０記載の天板付き家具。
【発明の詳細な説明】
【技術分野】
【０００１】
本発明は、天板の後方に部材取付板を設けてその間に配線空間等の隙間を形成してなる天板付き家具に係り、特にその隙間の上方をカバーによって簡単、適切に覆うことができるようにした天板付き家具に関するものである。
【背景技術】
【０００２】
この種の天板付き家具として、例えば特許文献１に示すもの等が知られている。このものは、机等の天板の後方に配線用の部品取付板を、天板から離間させて設置し、これらの間に形成される配線空間内における部品取付板の前面に、カバー支持部材を左右方向任意の位置に着脱可能に取付け、このカバー支持部材に、配線空間を上方から覆う配線カバーを着脱可能に支持させた配線カバー装置を備えている。
【０００３】
かかる配線カバー装置は、部品取付板の前面に、左右方向に向く係止溝を形成するとともに、カバー支持部材に、これを横倒し姿勢にしたとき、部品取付板の係止溝への挿脱および左右方向への移動が可能で、かつ挿入後に起立姿勢まで回転させたとき、係止溝内面に当接して係止し得るようにした係止片を一体に設けて構成されている。
【先行技術文献】
【特許文献】
【０００４】
【特許文献１】特許第４０７７３０２号公報
【発明の概要】
【発明が解決しようとする課題】
【０００５】
ところが、天板と部品取付板との隙間に手を差し込んでカバー支持部材を着脱する操作、特に横倒し姿勢と起立姿勢とを切り換えるような水平軸回りの大きな旋回操作は、手指を突っ込める程度の隙間がなければ行い得ないし、隙間が小さい場合には天板下に潜り込んでカバー支持部材を着脱しなければならず、作業が面倒になる。また、カバーを取り外した状態でないと部品取付板に対するカバー支持部材の着脱ができないので、作業性の面で改善が望まれる。
【０００６】
したがって、上方から簡単に取り付けや取り外しを行うことができ、逐一カバー支持部材からカバーを取り外す必要もない構造でカバーを支持できればより一層取り扱いに便利となる。
【０００７】
本発明は、このようなカバー支持構造を実現して、天板と部材取付板との隙間を上方から閉止して配線類を隠蔽し、或いは天板上から筆記具がこぼれ落ちることを防止できるようにした天板付き家具を提供することを目的としている。
【課題を解決するための手段】
【０００８】
本発明は、かかる目的を達成するために、次のような手段を講じたものである。
【０００９】
すなわち、本発明の天板付き家具は、机等の天板の後方に部材取付板を、天板から離間させて設置し、これら部材取付板と天板との間に形成される隙間に上方からの差し込み操作を通じカバー支持部材を装着して、このカバー支持部材に支持させたカバーによって前記隙間を上方から覆うように構成したことを特徴とする。
【００１０】
このようにすれば、カバー支持部材を回転させて水平軸回りに大きく姿勢を変える旋回操作等が不要であり、天板下に潜り込む必要もないため、取付作業を極めて簡単に行うことができる。
【００１１】
取り外し作業を極めて簡単に行うためには、カバー支持部材が、抜脱可能な状態で装着され、上方への引き上げ操作を通じて部材取付板と天板との隙間から取り出し得るように構成されていることが好ましい。
【００１２】
部材取付板を複雑な構造にせずに、カバー支持部材の取り外し作業を容易にするためには、部材取付板に被係り合い部を設ける一方、カバー支持部材の一部に前記被係り合い部に係り合う係り合い部及びこの係り合い部以外の部位に弾性変形部を設け、挿入時に弾性変形部を弾性変形させ装着位置でその反発力により係り合い部を被係り合い部に向かって押し付けるようにしていることが望ましい。
【００１３】
カバー支持部材の上下動を的確に規制するためには、係り合い部と被係り合い部の間に、係り合い位置でカバー支持部材の上下動を規制する規制部が設けてあることが好適である。
【００１４】
カバー支持部材を任意の位置に簡単に取り付けることを可能とするためには、被係り合い部が部材取付板に幅方向に連続して設けられ、係り合い部を被係り合い部の幅方向に沿った所望の位置に係り合わせ得るようにしている構成も好都合である。
【００１５】
隙間の寸法違いにも比較的容易に対応するためには、弾性変形部が、挿入時に部材取付板と天板との間で圧縮され、反発力を係り合い部と被係り合い部とが係り合う方向に作用させるように構成されることが適当である。
【００１６】
カバー支持部材の引き上げを容易とするためには、弾性変形部が、部材取付板と天板との間に介在される板バネであり、板バネを抜き取ることによって圧縮状態を解除し得るようにしている構成が有効である。
【００１７】
カバー支持部材の装着作業を極めて簡便に行うためには、カバー支持部材は、部材取付板の一部に接触した位置を支点に回転して係り合い部を被係り合い部に係り合い可能とされる構成が好ましい。
【００１８】
作業性を有効に向上させるためには、カバー支持部材が、カバーを付帯させた状態のままで前記部材取付板と前記天板との隙間に着脱可能とされる構成が望ましい。
【００１９】
カバー支持部材をより適切に支持し、取付作業を更に容易とするためには、カバー支持部材が、装着位置で上下方向に延びる一又は複数の板状ないし棒状をなす脚部と、当該脚部の上端部に一体的に設けられて幅方向に沿って延びる架材とを具備し、この架材にカバーが支持されている構成が適当である。
【００２０】
この場合、取り出し作業の便も同時に向上させるためには、架材が脚部の側方にオーバーハングしている構成が有効である。
【発明の効果】
【００２１】
本発明は、以上説明したように、上方から差し込むだけで部材取付板と天板との隙間に装着することができるので、カバー支持部材を回転させて姿勢を変える操作等が不要であり、天板下に潜り込む必要もないため、天板と部材取付板との隙間にカバー支持部材を介しカバーを簡単、適切に取り付けて、配線の隠蔽や筆記具のこぼれ止め具等として利用に供することが可能となる。
【図面の簡単な説明】
【００２２】
【図１】本発明の一実施形態に係る天板付き家具を示す模式的な全体斜視図。
【図２】同実施形態におけるカバー支持部材を天板と部材取付板との間に取り付けた状態を示す斜視図。
【図３】同実施形態におけるカバー支持部材と被係り合い部の関係を示す斜視図。
【図４】同実施形態におけるカバー支持部材と被係り合い部の関係を天板の下面側から示す模式図。
【図５】同実施形態における被係り合い部の本来の使用状態を示す斜視図。
【図６】同実施形態においてカバー支持部材を装着する手順を示す説明図。
【図７】同実施形態におけるカバー支持部材の構造をより具体的に示す斜視図。
【図８】本発明の他の実施形態を示す図。
【図９】本発明の更に他の実施形態を示す図。
【図１０】本発明の上記以外の実施形態を示す図。
【発明を実施するための形態】
【００２３】
以下、本発明の一実施形態を、図面を参照して説明する。
【００２４】
この実施形態の天板付き家具は、図１に示すように、机等の左右両端の脚６、６等から天板２の後縁２ｂより後方に離間する位置まで幕板支持腕７等を延在させ、その幕板支持腕７の先端に取付ブラケット７ａ等を介して幕板として機能する部材取付板３をネジ止めすることで、天板２と部材取付板２との間に隙間Ａ（配線空間）を形成しているものである。隙間Ａは、図示例では天板２の間口寸法ほぼ全体にわたっているか、天板２の間口寸法の一部だけに設けても勿論構わない。また、部材取付板２の取付構造には種々の態様が可能であるし、幕板支持腕７は中間脚から延在させることもできる。
【００２５】
そして、図２〜図４に示すように、前記隙間Ａ（配線空間）に上方からの差し込み操作を通じカバー支持部材１を装着して、このカバー支持部材１に支持させたカバー１６によって前記隙間Ａを上方から覆うようにしている。
【００２６】
具体的に説明すると、前記隙間Ａは配線の立ち上げ等のための配線空間として利用されるもので、部材取付板３の前面には、天板受部材やスタンドや、配線受けダクト、電話台等のオプション部材５を取り付けるための幅方向に延びる連続溝４ａを有した被係り合い部４が形成してある。この被係り合い部４は、断面コ字状をなし前面に開口縁を狭める方向の前片４１ａ、４１ｂを有したもので、図５に示すように、プロペラナットとして機能する板ナット５２を連続溝４ａの開口部Ｂに挿入してボルト５１を板ナット５２のねじ孔５２ａに螺合させ回転させることにより、当該板ナット５２が被係り合い部４の上片４２の裏面４２ａに干渉して連続溝４ａに突っ張った位置で固定され、この板ナット５２に各種のオプション部材５を締着することが可能なものである。オプション部材５の一例としては、図４に示すような中間天板受け５ａ等が挙げられる。このような部材取付板３は、図２及び図６等に示すように部材取付板３の上面３ａが天板２の上面２ａと略同じ高さ位置に配され、部材取付板３の上面３ａと隙間Ａ側の立面３ｂとのコーナー部には断面Ｌ字状の段溝３１が形成してある。
【００２７】
一方、カバー支持部材１は、図３や図６等に示すように、装着位置で上下方向に延びる一対の板状ないし棒状をなす脚部１１と、これらの脚部１１の上端部１１ａに一体的に設けられて幅方向に沿って延びる架材１３と、この架材１３に設けられた弾性変形部たる板バネ１２とを具備している。
【００２８】
脚部１１は樹脂製のもので、装着位置で部材取付板３側に突出する係り合い部１４を有している。この係り合い部１４は、前記被係り合い部４の連続溝４ａに対して、その上片４１ａと下片４１ｂとの開口部Ｂに比較的緊密に挿入して係り合うことが可能なブロック体状の外形を呈している。
【００２９】
架材１３は、図３等に示すように、左右一対の脚部１１の上端部１１ａ、１１ａ間を門形に接続する位置に配置されるもので、架材１３の長さＬ１は脚部１１の外法間の離間距離Ｌ２よりも長く、端部１３ａが脚部１１の側方にオーバーハングしている。装着位置でこの架材１３の上面には部材取付板３の段溝３１に係り合う突片１５が形成してあり、この突片１５が段溝３１に係り合う図６（ｃ）、（ｄ）等の高さ位置で、前記係り合い部１４が前記被係り合い部４の連続溝４ａ内に挿し込まれる位置関係、寸法関係に設定されている。架材１３には、天板２と部材取付板３との隙間Ａに向かって略水平に突出するように、可撓性を有する軟質樹脂製のカバー１６の基端１６ａが片持ち状態で架材１３に支持されている。
【００３０】
このカバー１６は、天板２の上面２ａよりも１段低い位置に設けられており、軟質であるため、天板幅方向に沿って任意の位置から配線を引き出すことができる。
【００３１】
板バネ１２は、樹脂性のもので、前記架材１３の前面１３ｂ及び底面１３ｃを利用して基端１２ａを固定され、先端１２ｂを自由端とされたもので、基端１２ａから先端１２ｂまでの間が上開きＵ字状に湾曲し、外力が加わらない状態での架材１３の前面１３ｂからの突出寸法は当該架材１３の前面１３ｂから天板２の後縁２ｂまでの寸法よりも大きくなるように設定されている。
【００３２】
具体的な構造は、図７に示すように、架材１３の底面１３ｃにレール１３ｘが設けられ、脚部１１の上端部１１ａ及び板バネ１２の基端１２ａが前記レール１３ｘに沿った所要位置に止着具であるボルトＶ及びナットｎを介して取り付けられる。したがって、架材１３に対する脚部１１及び板バネ１２の位置や数は、状況に応じて適宜変更が可能である。
【００３３】
そして、図６（ａ）に示すように、このカバー支持部材１を、架材１３およびカバー１６を一体的に付帯させたままの状態で天板２と部材取付板３との隙間Ａに上方から差し込む際、板バネ１２の先端１２ｂと基端１２ａの間の膨出部分１２ｃが天板２のエッジ２ｃに当たるようにやや斜めにして隙間Ａに近づけると、挿入前に部材取付板３と天板２との隙間Ａよりも大きい状態にあった板バネ１２は、図６（ｂ）→（ｃ）に向かって、挿入時に部材取付板３と天板２との間で圧縮されて弾性変形し始め、係り合い部１４が被係り合い部４の前片４１ａに達する。板バネ１２の反発力Ｆは、係り合い部１４と被係り合い部４とが係り合う方向に係り合い部１４を押し付けているので、更に差し込むと、図６（ｃ）に示すように、カバー支持部材１の突片１５が部材取付板３の段溝３１に接触すると同時に、その際に係り合い部１４が被係り合い部４の連続溝４ａの開口部Ｂに位置して、接触部Ｘを支点にカバー支持部材１が部材取付板３側に回転し、係り合い部１４を連続溝４ａの開口部Ｂに挿入して係り合う。この結果、図６（ｄ）に示すように、脚部１１は部材取付板３に沿って鉛直に起立し、架材１３は隙間Ａに沿って配置され、その前方に支持されたカバー１６は隙間Ａの上方を覆う位置に配置される。
【００３４】
この係り合い位置で、前記開口部Ｂの開口縁を構成する係り合い部１４の前片４１ａ、４１ｂがカバー支持部材１の上下動を規制する規制部１４ａとして作用するため、カバー支持部材１ひいてはカバー１６の上下方向のガタつきが規制される。
【００３５】
この場合、被係り合い部４の連続溝４ａは、図４に示すように、部材取付板３に幅方向に連続して設けられているので、係り合い部１４を被係り合い部４の幅方向に沿った所望の位置に係り合わせることができる。
【００３６】
そして、カバー支持部材１の装着は抜脱可能な状態にあるため、図６（ｄ）→（ｃ）に示すように、板バネ１２を上方に引き上げる方向に操作すると、脚部１１が接触部Ｘを回転中心にして傾き、係り合い部１４が被係り合い部４の連続溝４ａから抜脱する。その後、図６（ｃ）→（ｂ）のように板バネ１２ごとカバー支持部材１を上方へ抜き取ると、板バネ１２の反発力Ｆが解除されるので、更に図６（ｂ）→（ａ）に示す上方への引き上げ操作を通じて部材取付板３と天板２との隙間Ａからカバー支持部材１を取り出すことができる。
【００３７】
以上のように、本発明の一実施形態における天板付き家具は、机等の天板２の後方に部材取付板３を、天板２から離間させて設置し、これら部材取付板３と天板２との間に形成される隙間Ａに上方からの差し込み操作を通じカバー支持部材１を装着して、このカバー支持部材１に支持させたカバー１６によって前記隙間Ａを上方から覆うように構成したので、カバー支持部材１を水平軸回りに旋回させて姿勢を大きく変える操作等が不要であり、天板２下に潜り込む必要もなく、取付作業を極めて簡単に行うことができる。
【００３８】
そして、カバー支持部材１は、抜脱可能な状態で装着され、上方への引き上げ操作を通じて部材取付板３と天板２との隙間Ａから取り出し得るようにしているので、この場合にもカバー支持部材３を水平軸まわりに旋回させて姿勢を大きく変える操作等が不要であり、天板２下に潜り込む必要もなく、取り外し作業を極めて簡単に行うことが可能である。
【００３９】
さらに、部材取付板３に被係り合い部４を設ける一方、カバー支持部材１の一部に前記被係り合い部４に係り合う係り合い部１４及びこの係り合い部１４以外の部位に弾性変形部たる板バネ１２を設け、挿入時に板バネ１２を弾性変形させ装着位置でその反発力により係り合い部１４を被係り合い部４に向かって押し付けるようにしているために、部材取付板３側に複雑な構造が不要であり、また、係り合い部１４以外の部位で弾性変形させるので、係り合い部１４の強度を低下させることがなく、係り合い部１４の解除も容易に行うことができるようになる。
【００４０】
また、係り合い部１４と被係り合い部４の間に、係り合い位置でカバー支持部材１の上下動を規制する規制部１４ａが設けてあるので、板バネ１２が係り合い部１４を被係り合い部４に向かって押し付けるだけの構造であっても、規制部１４ａによってカバー支持部材３の上下動を的確に規制することができる。
【００４１】
さらに、被係り合い部４が部材取付板３に幅方向に連続して設けられ、係り合い部１４を被係り合い部４の幅方向に沿った所望の位置に係り合わせ得るようにしているので、カバー支持部材３の取付位置に自由度が得られ、また、取付位置に厳密さが要求されないため、取付作業を簡単に行うことができるようになる。
【００４２】
また、板バネ１２は、挿入前に部材取付板３と天板２との隙間Ａよりも大きく、挿入時に部材取付板３と天板２との間で圧縮され、反発力を係り合い部１４と被係り合い部４とが係り合う方向に作用させるように構成されるために、別途に板バネ１２を圧縮させる構造が不要であり、隙間Ａの寸法違いにも比較的容易に対応することができる。特に、本実施形態の板バネ１２は上開きＵ字状をなしているため、その下方に配線受けダクト等を取り付けて配線を引き回せるように構成した場合でも、配線受けダクトとは別に、一部の配線を天板２の上面２ａ近くの高さ位置に保持しておく用途にも利用することができ、有用となる。
【００４３】
そして、部材取付板３と天板２との間に介在される板バネ１２を抜き取ることによって圧縮状態を解除し得るようにしているので、抜き取り操作が容易となり、しかも、板バネ１２を抜き取るだけで圧縮状態が解除され、係り合い部１４の被係り合い部４に向かう押し付け力を消勢できるので、その後のカバー支持部材１の引き上げが容易となる。
【００４４】
さらに、カバー支持部材１は、部材取付板３の一部に接触した位置を支点に若干回転させるだけで係り合い部１４を被係り合い部４に係り合い可能とされるので、回転動作を利用してカバー支持部材１の装着作業を極めて簡便に行うことができる。
【００４５】
また、カバー支持部材１は、カバー１６を付帯させた状態のままで前記部材取付板３と前記天板２との隙間Ａに着脱可能とされるので、カバー支持部材１とカバー１６を一体的に取り扱うことができ、カバーを取り外した状態でないとカバー支持部材の着脱ができない従来構造に比べて、作業性を有効に向上させることができる。
【００４６】
さらにまた、カバー支持部材１は、装着位置で上下方向に延びる一又は複数の板状ないし棒状をなす脚部１１と、当該脚部の上端部１１ａに一体的に設けられて幅方向に沿って延びる架材１３とを具備し、この架材１３にカバー１６が支持されているために、カバー１６の長手方向に沿った適切な支持が可能である。しかも、押し込むときに架材１３の上方に指を当てて簡単に押し込むことができるので、装着時の操作性は格段に簡易なものとなる。
【００４７】
その際、架材１３が脚部１１の側方にオーバーハングしているので、引き抜くときにも架材の端部１３ａに指を掛けて簡単に引き上げることができ、取り外し時の操作性にも配慮したものとなっている。
【００４８】
なお、各部の具体的な構成は、上述した実施形態のみに限定されるものではない。
【００４９】
例えば、図８に示すように、カバー支持部材１およびカバー１６を幅方向に分割して、天板２と部材取付板３との隙間Ａを覆う位置に複数個取り付けるようにしてもよいし、図９に示すように、カバー支持部材１およびカバー１６の各々１つで天板２と部材取付板３との隙間Ａ全体を覆うように構成してもよい。また、上記実施形態では一対の脚部１１，１１に架材１３を取り付けたが、図１０に示すように、１つの脚部１１のみに架材１３を取り付けてカバー支持部材１を構成することもできる。板バネ１２は脚部１１に取り付けても構わない。
【００５０】
その他の構成も、本発明の趣旨を逸脱しない範囲で種々変形が可能である。
【符号の説明】
【００５１】
１…カバー支持部材
２…天板
３…部材取付板
４…被係り合い部
１１…脚部
１１ａ…脚部の上端部
１２…弾性変形部（板バネ）
１３…架材
１４…係り合い部
１４ａ…規制部
１６…カバー
Ａ…隙間
【図１】
0005382653.tif 000002
【図２】
0005382653.tif 000003
【図３】
0005382653.tif 000004
【図４】
0005382653.tif 000005
【図５】
0005382653.tif 000006
【図６】
0005382653.tif 000007
【図７】
0005382653.tif 000008
【図８】
0005382653.tif 000009
【図９】
0005382653.tif 000010
【図１０】
0005382653.tif 000011